(57)【要約】【課題】診療、投薬、手術等、多くの医療シーンで医療対象者の本人確認を確実にし、安心と安全をもたらす。【解決手段】ＩＤ番号読み取り部２５が読み取ったＩＤ番号をゲート制御機構２６がホストマシン１０に照会してＩＤ情報を受信する。撮影部２３は患者の顔を撮影し、写真出力部２４は顔写真とＩＤ情報とをシール印刷する。患者はシールを診察券に貼る。撮影した画像データはデータベース１５に登録する。診察時はホストマシン１０からＩＤ情報入りの画像データを受信してディスプレイ３２に表示する。投薬時はホストマシン１０から受信したＩＤ情報入りの画像データをシールに印刷して薬袋に貼るか直接薬袋に印刷する。点滴液袋や輸血液袋にもシール貼り付けまたは直接印刷して病室５や手術室６に供給する。手術時にも、手術室端末６０に患者の画像とＩＤ情報を表示して患者取り違えを防止する。【選択図】　　　図１
2004062518.tif 000002
【特許請求の範囲】
【請求項１】
ネットワークに接続されたホストマシンとＩＤ写真撮影装置と第１の端末とを備え、前記ＩＤ写真撮影装置は、被撮影者のＩＤ番号を読み取る手段と、読み取ったＩＤ番号を前記ホストマシンに照会してＩＤ番号に対応するＩＤ情報を受信する手段と、被撮影者を撮影する手段と、撮影した画像に前記ホストマシンから送信されたＩＤ情報を表示した写真を印刷する手段と、撮影した画像データにＩＤ番号を付加して前記ホストマシンに送信する手段とを有し、前記ホストマシンは、データベースを備え、前記ＩＤ写真撮影装置から照会されたＩＤ番号に対応するＩＤ情報を前記データベースから検索して前記ＩＤ写真撮影装置に送信する手段と、前記第１の端末から受信したＩＤ番号または氏名に対応する画像データを前記データベースから検索してＩＤ情報を付加して前記第１の端末に送信する手段とを有し、前記第１の端末は、前記ホストマシンにＩＤ番号または氏名を送信して対応する画像データの送信を依頼する手段と、前記ホストマシンから送信された画像データをＩＤ情報付きで印刷出力する手段とを有することを特徴とするＩＤフォト管理システム。
【請求項２】
さらに、ネットワークに接続された第２の端末を備え、前記第２の端末は、前記ホストマシンにＩＤ番号または氏名を送信して対応する画像データの送信を依頼する手段と、前記ホストマシンから送信された画像データをＩＤ情報付きで画面出力する手段とを有することを特徴とする請求項１記載のＩＤフォト管理システム。
【請求項３】
ネットワークに接続されたホストマシンとＩＤ写真撮影装置と第１の端末とを使用するＩＤフォト管理方法であって、前記ＩＤ写真撮影装置が被撮影者のＩＤ番号を読み取るステップと、前記ＩＤ写真撮影装置が読み取ったＩＤ番号を前記ホストマシンに照会するステップと、前記ホストマシンが前記ＩＤ写真撮影装置から照会されたＩＤ番号に対応するＩＤ情報をデータベースから検索して前記ＩＤ写真撮影装置に送信するステップと、前記ＩＤ写真撮影装置が被撮影者を撮影して撮影した画像に前記ホストマシンから送信されたＩＤ情報を表示した写真を印刷するステップと、前記ＩＤ写真撮影装置が撮影した画像データにＩＤ番号を付加して前記ホストマシンに送信するステップと、前記第１の端末が前記ホストマシンにＩＤ番号または氏名を送信して対応する画像データの送信を依頼するステップと、前記ホストマシンが前記第１の端末から受信したＩＤ番号または氏名に対応する画像データを前記データベースから検索してＩＤ情報を付加して前記第１の端末に送信するステップと、前記第１の端末が前記ホストマシンから送信された画像データをＩＤ情報付きで印刷出力するステップとを有することを特徴とするＩＤフォト管理方法。
【請求項４】
さらに、ネットワークに接続された第２の端末を使用し、前記第２の端末が前記ホストマシンにＩＤ番号または氏名を送信して対応する画像データの送信を依頼するステップと、前記ホストマシンが前記第２の端末から受信したＩＤ番号または氏名に対応する画像データを前記データベースから検索してＩＤ情報を付加して前記第２の端末に送信するステップと、前記第２の端末が前記ホストマシンから送信された画像データをＩＤ情報付きで画面出力するステップとを有することを特徴とする請求項３記載のＩＤフォト管理方法。
【請求項５】
ネットワークを介してＩＤ写真撮影装置と第１の端末とに接続され、データベースを有するホストマシンであって、前記ＩＤ写真撮影装置から照会されたＩＤ番号に対応するＩＤ情報を前記データベースから検索して前記ＩＤ写真撮影装置に送信する手段と、画像データにＩＤ番号を付加したデータを前記ＩＤ写真撮影装置から受信して前記データベースに登録する手段と、前記第１の端末から送信されたＩＤ番号または氏名に対応する画像データを前記データベースから検索してＩＤ情報を付加して前記第１の端末に送信する手段とを備えたことを特徴とするホストマシン。
【請求項６】
ネットワークを介してＩＤ写真撮影装置と第１の端末とに接続され、データベースを有するホストマシンに、前記ＩＤ写真撮影装置から照会されたＩＤ番号に対応するＩＤ情報を前記データベースから検索して前記ＩＤ写真撮影装置に送信する処理と、画像データにＩＤ番号を付加したデータを前記ＩＤ写真撮影装置から受信して前記データベースに登録する処理と、前記第１の端末から送信されたＩＤ番号または氏名に対応する画像データを前記データベースから検索してＩＤ情報を付加して前記第１の端末に送信する処理とを実行させるためのプログラム。
【発明の詳細な説明】
【０００１】
【発明の属する技術分野】
本発明はＩＤ（ｉｄｅｎｔｉｆｉｃａｔｉｏｎ）フォト管理システム、ＩＤフォト管理方法およびＩＤフォト管理用プログラムに関し、特に医療機関に設置され、医療機関の本人確認を行うためのＩＤフォト管理システム、ＩＤフォト管理方法およびＩＤフォト管理用プログラムに関する。
【０００２】
【従来の技術】
近年、医療機関では患者の取り違い等のミスによる医療事故が多発し、さらに、高齢化社会の到来という社会背景から、医療への安全ニーズがますます高まってきている。
【０００３】
このニーズに対応した一例として、スタンドアローンの撮影・出力機を導入し、患者本人の顔写真入りのシールプリントを出力し、診察券・カルテにシールプリントを貼ることでセキュリティ向上を図ることが行われている。
【０００４】
【発明が解決しようとする課題】
しかしながら、この方法では、診察券には患者自らがシールプリントを貼付する性質上、高齢者等の集団等によるミスが発生している。現運用システムに負荷が無く非常に簡便な反面、いままでになかった新重大過誤問題を抱えている。
【０００５】
また、出力された写真をカルテ、投薬等の使用目的に合わせて編集、ＩＤ付加、登録作業を行う必要があり非常に手間がかかるという問題もあった。
【０００６】
本発明の目的は、診療、投薬、手術等、多くの医療シーンで医療対象者の本人確認を確実にし、安心と安全をもたらすＩＤフォト管理システム、ＩＤフォト管理方法およびＩＤフォト管理用プログラムを提供することにある。
【０００７】
【課題を解決するための手段】
本発明のＩＤフォト管理システムは、ネットワークに接続されたホストマシンとＩＤ写真撮影装置と第１の端末とを備え、前記ＩＤ写真撮影装置は、被撮影者のＩＤ番号を読み取る手段と、読み取ったＩＤ番号を前記ホストマシンに照会してＩＤ番号に対応するＩＤ情報を受信する手段と、被撮影者を撮影する手段と、撮影した画像に前記ホストマシンから送信されたＩＤ情報を表示した写真を印刷する手段と、撮影した画像データにＩＤ番号を付加して前記ホストマシンに送信する手段とを有し、前記ホストマシンは、データベースを備え、前記ＩＤ写真撮影装置から照会されたＩＤ番号に対応するＩＤ情報を前記データベースから検索して前記ＩＤ写真撮影装置に送信する手段と、前記第１の端末から受信したＩＤ番号または氏名に対応する画像データを前記データベースから検索してＩＤ情報を付加して前記第１の端末に送信する手段とを有し、前記第１の端末は、前記ホストマシンにＩＤ番号または氏名を送信して対応する画像データの送信を依頼する手段と、前記ホストマシンから送信された画像データをＩＤ情報付きで印刷出力する手段とを有することを特徴とする。
【０００８】
本発明のＩＤフォト管理システムは、さらに、ネットワークに接続された第２の端末を備え、前記第２の端末は、前記ホストマシンにＩＤ番号または氏名を送信して対応する画像データの送信を依頼する手段と、前記ホストマシンから送信された画像データをＩＤ情報付きで画面出力する手段とを有することを特徴としてもよい。
【０００９】
本発明のＩＤフォト管理方法は、ネットワークに接続されたホストマシンとＩＤ写真撮影装置と第１の端末とを使用するＩＤフォト管理方法であって、前記ＩＤ写真撮影装置が被撮影者のＩＤ番号を読み取るステップと、前記ＩＤ写真撮影装置が読み取ったＩＤ番号を前記ホストマシンに照会するステップと、前記ホストマシンが前記ＩＤ写真撮影装置から照会されたＩＤ番号に対応するＩＤ情報をデータベースから検索して前記ＩＤ写真撮影装置に送信するステップと、前記ＩＤ写真撮影装置が被撮影者を撮影して撮影した画像に前記ホストマシンから送信されたＩＤ情報を表示した写真を印刷するステップと、前記ＩＤ写真撮影装置が撮影した画像データにＩＤ番号を付加して前記ホストマシンに送信するステップと、前記第１の端末が前記ホストマシンにＩＤ番号または氏名を送信して対応する画像データの送信を依頼するステップと、前記ホストマシンが前記第１の端末から受信したＩＤ番号または氏名に対応する画像データを前記データベースから検索してＩＤ情報を付加して前記第１の端末に送信するステップと、前記第１の端末が前記ホストマシンから送信された画像データをＩＤ情報付きで印刷出力するステップとを有することを特徴とする。
【００１０】
本発明のＩＤフォト管理方法は、さらに、ネットワークに接続された第２の端末を使用し、前記第２の端末が前記ホストマシンにＩＤ番号または氏名を送信して対応する画像データの送信を依頼するステップと、前記ホストマシンが前記第２の端末から受信したＩＤ番号または氏名に対応する画像データを前記データベースから検索してＩＤ情報を付加して前記第２の端末に送信するステップと、前記第２の端末が前記ホストマシンから送信された画像データをＩＤ情報付きで画面出力するステップとを有することを特徴としてもよい。
【００１１】
本発明のホストマシンは、ネットワークを介してＩＤ写真撮影装置と第１の端末とに接続され、データベースを有するホストマシンであって、前記ＩＤ写真撮影装置から照会されたＩＤ番号に対応するＩＤ情報を前記データベースから検索して前記ＩＤ写真撮影装置に送信する手段と、画像データにＩＤ番号を付加したデータを前記ＩＤ写真撮影装置から受信して前記データベースに登録する手段と、前記第１の端末から送信されたＩＤ番号または氏名に対応する画像データを前記データベースから検索してＩＤ情報を付加して前記第１の端末に送信する手段とを備えたことを特徴とする。
【００１２】
本発明のプログラムは、ネットワークを介してＩＤ写真撮影装置と第１の端末とに接続され、データベースを有するホストマシンに、前記ＩＤ写真撮影装置から照会されたＩＤ番号に対応するＩＤ情報を前記データベースから検索して前記ＩＤ写真撮影装置に送信する処理と、画像データにＩＤ番号を付加したデータを前記ＩＤ写真撮影装置から受信して前記データベースに登録する処理と、前記第１の端末から送信されたＩＤ番号または氏名に対応する画像データを前記データベースから検索してＩＤ情報を付加して前記第１の端末に送信する処理とを実行させる。
【００１３】
【発明の実施の形態】
次に、本発明の実施の形態について図面を参照して詳細に説明する。図１は本発明の実施の形態の構成を示すブロック図である。
【００１４】
図１を参照すると、本発明の実施の形態は、ホストマシン１０とＩＤ写真撮影装置２０と診療端末３０と薬局端末４０と手術室端末６０とこれらを接続するネットワーク１００とを含む。
【００１５】
ホストマシン１０は医療機関等の管理センタ１に設置された情報処理装置で、その内部または外部に記憶装置１３を有し、記憶装置１３はデータベース１５を有する。さらに、必要に応じて入力装置やプリンタ（図示せず）を有する。
【００１６】
ＩＤ写真撮影装置２０は医療機関のロビー等に設置され、写真撮影装置２１とＩＤ番号読み取り部２５とゲート制御機構２６とを有する。写真撮影装置２１は課金部２２と撮影部２３と写真出力部２４とを有する。ゲート制御機構２６がネットワーク１００と接続される。
【００１７】
診療端末３０は診療室３に設置されたパーソナルコンピュータ等の情報処理装置であり、医師や看護婦等が使用する。診療端末３０はその内部または外部にキーボードやマウス等の入力装置３１とＣＲＴ（ｃａｔｈｏｄｅ−ｒａｙ　ｔｕｂｅ）等のディスプレイ３２を有し、さらに必要に応じて記憶装置やプリンタ（図示せず）を有する。
【００１８】
薬局端末４０は外来患者または入院患者に薬を提供する薬局４に設置されたパーソナルコンピュータ等の情報処理装置である。薬局端末４０はその内部または外部にキーボードやマウス等の入力装置４１とＣＲＴ等のディスプレイ４２とプリンタ４４とデータを一時記憶するための記憶装置（図示せず）とを有する。プリンタ４４は病室５や手術室６あるいは外来患者に提供する薬、点滴液袋、輸血液袋に貼り付けるシールプリントを印刷出力する。薬袋に直接印刷するようにしてもよい。
【００１９】
手術室端末６０は手術室６に設置されたパーソナルコンピュータ等の情報処理装置であり、医師や看護婦等が使用する。手術室端末６０はその内部または外部にキーボードやマウス等の入力装置６１とＣＲＴ等のディスプレイ６２を有し、さらに必要に応じて記憶装置やプリンタ（図示せず）を有する。
【００２０】
ネットワーク１００は医療機関内のＬＡＮ（ｌｏｃａｌ　ａｒｅａ　ｎｅｔｗｏｒｋ）である。インターネットを使用して離れた地域に存在する複数の医療機関をまとめて管理することも可能である。
【００２１】
次に動作について説明する。図２は動作を示すフローチャートである。
【００２２】
医療機関で診療を受ける患者は、あらかじめ医療機関の窓口で、ＩＤ番号を磁気的または光学的に読み取り可能に記載したＩＤカードを受け取る。記載方法としては、具体例としては磁気コードまたはバーコードが使用できる。このＩＤ番号は患者のＩＤ情報に対応させてホストマシン１０のデータベース１５に登録される（ステップＳ１）。ＩＤ番号は、数字に限定されず、アルファベット等の文字や記号を含むものとする。ＩＤ情報は、ＩＤ番号で検索できる情報であり、氏名、住所、性別、年齢、電話番号等、患者の個人情報である。
【００２３】
患者は、写真撮影が必要になると、都合の良いときにＩＤ写真撮影装置２０が設置されている場所へ行き、ＩＤ写真撮影装置２０の課金部２２に必要な金額を入金する。課金部２２が入金を確認すると（ステップＳ２）、次の処理が可能となる。この課金は、写真撮影と印刷出力に対するものである。無料で行う場合はステップはＳ２は不要である。
【００２４】
被撮影者である患者は、ＩＤカードをＩＤ番号読み取り部２５に挿入する。ＩＤ番号読み取り部２５は、挿入されたＩＤカードの磁気コードまたはバーコードからＩＤ番号を読み取り（ステップＳ３）、ゲート制御機構２６に送る。ゲート制御機構２６は、ホストマシン１０にアクセスし、ＩＤ番号を照会する（ステップＳ４）。
【００２５】
ホストマシン１０は、照会を受けたＩＤ番号がデータベース１５に登録されているかを検索し（ステップＳ５）、登録されていれば、ＩＤ番号対応するＩＤ情報をＩＤ番号に付加してゲート制御機構２６に送信する（ステップＳ６）。
【００２６】
ゲート制御機構２６がＩＤ番号とＩＤ情報とを受信すると、撮影部２３は患者の顔写真を撮影し（ステップＳ７）、写真出力部２４は写真の印刷出力を行う（ステップＳ８）。このとき、撮影目的に合わせて、ＩＤ番号またはＩＤ情報を出力写真中に表示する。具体的には必要に応じて、「ＩＤ番号＋氏名」あるいは「氏名＋性別＋年齢」等を表示する。印刷出力は貼り付け用のシールに行い、患者は自分の顔写真がＩＤ番号またはＩＤ情報と共に印刷されたシールを自分の診察券に貼り付ける。この診察券を使用することにより、診療、投薬、手術等の医療現場や会計での本人確認が確実となる。写真出力不要の場合は、ステップＳ８は省略してステップＳ９以降の処理を行う。
【００２７】
撮影された画像データは、システム要件によりＩＤ番号や氏名のファイル名が付加されてゲート制御機構２６に一時的に蓄積される。次に、ホストマシン１０の登録タイミングにより、蓄積された画像データはホストマシン１０に送信され（ステップＳ９）、データベース１５に登録される（ステップＳ１０）。
【００２８】
患者に対して診療を行うとき、医師や看護婦は診療室３の診療端末３０からＩＤ番号または氏名をホストマシン１０に送信して画像データを要求する（ステップＳ１１ａ）。要求を受けたホストマシン１０は、ＩＤ番号または氏名をもとにデータベース１５から患者の画像データを検索してＩＤ情報を付加して診療端末３０に送信する（ステップＳ１２）。診療端末３０は、ホストマシン１０から受信したＩＤ情報入りの画像データをディスプレイ３２に表示する（ステップＳ１３ａ）。表示された画像データにより患者の本人確認ができるので、患者を取り違えて診療を行うミスが防止できる。
【００２９】
薬局４では患者に薬を出すとき、薬局端末４０からＩＤ番号または氏名をホストマシン１０に送信して画像データを要求する（ステップＳ１１ｂ）。要求を受けたホストマシン１０は、ＩＤ番号または氏名をもとにデータベース１５から患者の画像データを検索してＩＤ情報を付加して薬局端末４０に送信する（ステップＳ１２）。薬局端末４０は、ホストマシン１０から受信したＩＤ情報入りの画像データをディスプレイ４２に表示する（ステップＳ１３ｂ）。さらに、薬局端末４０はプリンタ４４を使用して、薬袋に貼り付けるためのシールに画像データとＩＤ情報を印刷させる（ステップＳ１４）。患者の顔写真とＩＤ情報とが印刷されたシールを薬袋に貼り付けることにより、患者の本人確認ができるので、患者を取り違えて薬を渡すミスが防止できる。顔写真とＩＤ情報との印刷は、シールではなく薬袋に直接印刷すると、シール貼り間違いのミスも防止できる。
【００３０】
病室５で入院患者に投薬や点滴を行うときは、あらかじめ薬局４でステップＳ１１ｂ、ステップＳ１２、ステップＳ１４の手順により患者の顔写真とＩＤ情報とを印刷した薬袋や点滴液袋を用意して病室５に配布することにより、患者取り違え事故が防止できる。
【００３１】
手術室６で患者に手術を行うとき、診療室３と同様に、手術室端末６０からＩＤ番号または氏名をホストマシン１０に送信して画像データを要求（ステップＳ１１ｃ）、要求を受けたホストマシン１０は、ＩＤ番号または氏名をもとにデータベース１５から患者の画像データを検索してＩＤ情報を付加して手術室端末６０に送信（ステップＳ１２）、手術室端末６０は、ホストマシン１０から受信したＩＤ情報入りの画像データをディスプレイ６２に表示する（ステップＳ１３ｃ）の手順を踏むことにより、表示された画像データにより患者の本人確認ができるので、患者を取り違えて手術を行うミスが防止できる。
【００３２】
また、手術に際して患者に投薬、点滴、輸血を行うときは、病室５と同様に、あらかじめ薬局４でステップＳ１１ｂ、ステップＳ１２、ステップＳ１４の手順により患者の顔写真とＩＤ情報とを印刷した薬袋、点滴液袋、輸血液袋を用意して手術室６に配布することにより、患者取り違え事故が防止できる。
【００３３】
本発明の実施の形態におけるホストマシン１０の動作はプログラム処理により行わせることが可能である。すなわち、記録媒体に記録したプログラムをホストマシン１０に読み込ませるか、あるいは、ネットワークからプログラムをホストマシン１０に読み込ませて、ステップＳ１、Ｓ５、Ｓ６、Ｓ１０、Ｓ１２の動作を実行させる。
【００３４】
【発明の効果】
以上説明したように、本発明によれば、稼動中のシステムへの大きな変更無しで、セキュリティを確保したままユーザ単独でユーザの都合の良いときに本人確認用の写真撮影ができる。
【００３５】
また、撮影された画像がホストシステムにも登録されるので、医療診療での本人確認を本人カード（診察券）と端末側の画像表示で２重確認することで従来方法よりも取り違い等のミスを激減する効果がある。
【図面の簡単な説明】
【図１】本発明の実施の形態の構成を示すブロック図である。
【図２】本発明の実施の形態の動作を示すフローチャートである。
【符号の説明】
１　　管理センタ
３　　診療室
４　　薬局
５　　病室
６　　手術室
１０　　ホストマシン
１３　　記憶装置
１５　　データベース
２０　　ＩＤ写真撮影装置
２１　　写真撮影装置
２２　　課金部
２３　　撮影部
２４　　写真出力部
２５　　ＩＤ番号読み取り部
２６　　ゲート制御機構
３０　　診療端末
３１　　入力装置
３２　　ディスプレイ
４０　　薬局端末
４１　　入力装置
４２　　ディスプレイ
４４　　プリンタ
６０　　手術室端末
６１　　入力装置
６２　　ディスプレイ
１００　　ネットワーク
【図１】
2004062518.tif 000003
【図２】
2004062518.tif 000004